(57)【要約】【課題】  使用後の歯ブラシに付着した汚染物を確実に除去するとともに、十分な殺菌を可能とする。【解決手段】本発明の歯ブラシ洗浄器具は、上面に開口２ｂを有する内部中空の容器部２と、容器部２の内壁面２ａに配置され、容器部２内方に突出される多数の洗浄用突起部３とを備える。容器部２は、洗浄剤７が充填可能な容器であり、例えばガラス、プラスチック、金属、陶器等で形成することができる。洗浄用突起部３は、アクリル等の合成繊維や金属繊維を植設したブラシ状の部材である。【選択図】  図１
2005046558.tif 000002
【特許請求の範囲】
【請求項１】
歯ブラシを洗浄する歯ブラシ洗浄用器具であって、
上面に開口を有する内部中空の容器部と、
前記容器部の内壁面に配置され、該容器部内方に突出される多数の洗浄用突起部と
を備えることを特徴とする歯ブラシ洗浄用器具。
【請求項２】
前記洗浄用突起部は、前記容器部に対して着脱可能に取付けられることを特徴とする請求項１に記載の歯ブラシ洗浄用器具。
【請求項３】
前記洗浄用突起部は、前記容器部の開口に引掛けられ、該容器部内に吊下される吊下部表面に突設されることによって、前記容器部に対して着脱可能に取付けられることを特徴とする請求項２に記載の歯ブラシ洗浄用器具。
【請求項４】
上面に開口を有する内部中空の瓶体を有し、
前記容器部は、前記瓶体の開口に嵌合する嵌合部を備え、
前記容器部は、前記嵌合部を介して、前記瓶体の開口を覆うように着脱可能に取付けられる蓋体となることを特徴とする請求項１乃至３のいずれかに記載の歯ブラシ洗浄用器具。
【請求項５】
歯ブラシを洗浄する歯ブラシ洗浄方法であって、
上面に開口を有する内部中空の容器部の内壁面に、該容器部内方に突出される多数の洗浄用突起部を配設し、
前記容器部内に洗浄剤を充填し、
前記歯ブラシを、洗浄剤内において、前記洗浄用突起部に対して擦りつけることを特徴とする歯ブラシ洗浄方法。
【発明の詳細な説明】
【技術分野】
【０００１】
本発明は、歯ブラシを洗浄するための歯ブラシ洗浄用器具及び歯ブラシ洗浄方法に関する。
【背景技術】
【０００２】
近年、歯周病の防止などのために、口腔衛生が注目されており、口腔衛生の方法として、口内洗浄剤による口内洗浄や、歯ブラシ等による洗浄が挙げられる。
【０００３】
ところで、歯ブラシを使用した後は、単に、濯いで乾かしておくだけで、歯ブラシ自体の衛生管理については十分に配慮されていなのが現状である。
【０００４】
具体的には、歯ブラシの使用者は、歯ブラシを使用後、歯磨き粉等で汚染された歯ブラシを、流水や湯で濯いだ後、水分を振り切り、そのまま、歯ブラシ立てや、棚や、小籠、コップ等に入れて、次の使用までそのままにしておくものであった。ところが、このような管理では、歯ブラシのブラシ中に雑菌等が繁殖するおそれが多く、口腔衛生上問題を残すものである。
【０００５】
このような問題を解決する技術として、例えば特許文献１に開示された歯ブラシ用洗浄剤がある。この特許文献１に開示された歯ブラシ用洗浄剤では、歯ブラシの少なくともブラシ部を殺菌する殺菌剤を含有したエアゾール組成部を、エアゾール容器に封入し、エアゾールを歯ブラシに噴射することにより、歯ブラシを洗浄する。
【特許文献１】特開平１１−２５６１９１号公報
【発明の開示】
【発明が解決しようとする課題】
【０００６】
しかしながら、上述した特許文献１に開示された技術では、殺菌剤を含有したエアゾールを歯ブラシに噴射し、その噴射力で、歯ブラシに付着した汚染物を除去するため、十分に洗浄できないという問題があった。また、上述した技術では、エアゾールにより殺菌剤を噴霧するため、歯ブラシの隙間に十分に殺菌剤が浸透せず、十分な殺菌力が得られないという問題もある。
【０００７】
そこで、本発明は以上の点に鑑みてなされたもので、使用後の歯ブラシに付着した汚染物を確実に除去するとともに、十分な殺菌を可能とする歯ブラシ洗浄用器具及び歯ブラシ洗浄方法を提供することをその課題とする。
【課題を解決するための手段】
【０００８】
上記課題を解決するために、本発明は、歯ブラシを洗浄する歯ブラシ洗浄用器具であって、上面に開口を有する内部中空の容器部と、容器部の内壁面に配置され、容器部内方に突出される多数の洗浄用突起部とを備えることを特徴とする。
【０００９】
このような本発明によれば、容器部内に液体を充填し、液体の中で歯ブラシと洗浄用突起部とを擦り合わせることができ、洗浄用突起部による摩擦と、洗浄剤の水流とにより、歯ブラシに付着した汚染物を確実に除去することができる。また、上記液体を洗浄剤とした場合には、洗浄剤を歯ブラシの繊維内に十分に浸透させることができ、殺菌力の向上を図ることができる。
【００１０】
上記発明において、洗浄用突起部は、容器部に対して着脱可能に取付けられることが好ましい。このような発明によれば、洗浄用突起部を容器部から取り外して洗浄用突起部のみを携帯することができる。
【００１１】
上記発明において、洗浄用突起部は、容器部の開口に引掛けられ、容器部内に吊下される吊下部表面に突設されることによって、容器部に対して着脱可能に取付けられることが好ましい。このような発明によれば、液体を充填できる容器の開口に吊下部を引掛けるだけで、容器部内に洗浄用突起部を突設することができ、市販の容器を用いて、本発明の歯ブラシ洗浄器具を構成することができる。
【００１２】
上記発明において、上面に開口を有する内部中空の瓶体を有し、容器部は、瓶体の開口に嵌合する嵌合部を備え、容器部は、嵌合部を介して、瓶体の開口を覆うように着脱可能に取付けられる蓋体となることが好ましい。このような発明によれば、容器部を、洗浄剤を入れておく瓶体の蓋体とし、容器部と瓶体を一体として携帯することができる。
【００１３】
本発明は、歯ブラシを洗浄する歯ブラシ洗浄方法であって、上面に開口を有する内部中空の容器部の内壁面に、容器部内方に突出される多数の洗浄用突起部を配設し、容器部内に洗浄剤を充填し、歯ブラシを、洗浄剤内において、洗浄用突起部に対して擦りつけることを特徴とする。
【００１４】
このような本発明によれば、容器部内に液体を充填し、液体の中で歯ブラシと洗浄用突起部とを擦り合わせることができ、洗浄用突起部による摩擦と、洗浄剤の水流とにより、歯ブラシに付着した汚染物を確実に除去することができる。また、上記液体を洗浄剤とした場合には、洗浄剤を歯ブラシの繊維内に十分に浸透させることができ、殺菌力の向上を図ることができる。
【発明の効果】
【００１５】
以上説明したように本発明によれば、使用後の歯ブラシに付着した汚染物を確実に除去するとともに、十分な殺菌を可能とすることができる。
【発明を実施するための最良の形態】
【００１６】
本発明の実施形態について、図面を参照しつつ説明する。図１は、本実施形態に係る歯ブラシ洗浄器具の概略構成を示す構成図である。
【００１７】
同図に示すように、本実施形態に係る歯ブラシ洗浄器具は、上面に開口２ｂを有する内部中空の容器部２と、容器部２の内壁面２ａに配置され、容器部２内方に突出される多数の洗浄用突起部３とを備える。容器部２は、洗浄剤７が充填可能な容器であり、例えばガラス、プラスチック、金属、陶器等で形成することができる。洗浄用突起部３は、軟質プラスチックやアクリル等の合成繊維や金属繊維を植設したブラシ状の部材である。
【００１８】
洗浄剤７は、水道水などの淡水を使用することも可能であるが、好ましくは、洗浄成分の他、殺菌、除菌成分を含有するエタノールや安息香酸を始めとする種々の殺菌剤、湿潤剤や発泡剤、香味料、消炎剤、保存料、消臭剤、精製水等が適宜配合された液体、或いは粉末や発泡剤を溶解させた液体を用いることができる。
【００１９】
かかる洗浄成分としては、ミリン酸、キサンタンガム、アルギン酸ナトリウムを用いることができ、湿潤剤としては、グリセリンや濃グリセリン等を用いることができる。また、殺菌剤としては、次亜塩素酸ナトリウムや安息香酸、安息香酸ナトリウム、サリチル酸、サリチル酸ナトリウム、ソルビン酸、ソルビン酸カリウム、デヒドロ酢酸、デヒドロ酢酸ナトリウムなどの有機酸類、パラオキシ安息香酸エチル、パラオキシ安息香酸ブチル、パラオキシ安息香酸プロピル、パラオキシ安息香酸メチル、などのパラベン類、イソプロピルメチルフェノール、オルトフェニルフェノール、クレゾール、クロルキシレノール、クロルクレゾール、チモール、パラクロルフェノール、レゾルシンなどのフェノール類、感光素１０１号、感光素２０１号、感光素３０１号、感光素４０１号などの感光素類、クロラミンＴ、チアントールなどの含硫黄物質、また、その他の有機化合物として、塩化リゾチーム、塩酸クロルヘキシジン、グルコン酸クロルヘキシジン液、クロロブタノール、トリクロロカルバニリド、３−トリフルオルメチル−４，４’−ジクロロカルバニリド（ハロカルバン）、ヘキサクロロフェン、カテキン、ヒノキチオール、各種抗菌エキス類などの他、ホウ酸等の無機化合物が使用できる。
【００２０】
また、発泡剤としては、非イオン、アニオン、カチオン、両性活性剤等の他、非イオン性界面活性剤であるモノステアリン酸グリセリン、モノステアリン酸エレングリコール、モノステアリン酸プロピレングリコール、モノステアリン酸ジエチレングリコール、ヤシ油脂肪酸モノエタノールアミド等を用いることができる。アニオン性界面活性剤としては、ラウリン酸亜鉛、ステアリン酸マグネシウム、ラウリル硫酸ナトリウム、ポリオキシエチレンラウリルエーテル燐酸ナトリウム等を例示し得る。カチオン性界面活性剤としては、塩化ステアリルトリメチルアンモニウム、塩化ジステアリルジメチルアンモニウム、塩化ベンゼトニウム、塩化ラウリルトリメチルアンモニウム、塩化アルキルトリメチルアンモニウム等を例示し得る。両性界面活性剤としては、βーラルリルアミノプロピオン酸ナトリウム、ラウリルジメチルアミノ酢酸ベタイン、ヤシ油脂肪酸コラーゲンペプチドカリウム、ステアリルジメチルアミノ酢酸ベタイン、ステアリン酸グリチルレチニル等を例示し得る。
【００２１】
香味料としては、ハーブミント、シナモン、チモール、１−メントール、スペアミント、サッカリンナトリウム等を用いることができる。また、保存料としてはパラベン等、消臭剤としては銅クロロフィリンナトリウム、クローブエキス、オーゴンエキス等、また、消炎剤としては、グリチルリチン酸ジカリウム等を用いることができる。
【００２２】
このような構成の歯ブラシ洗浄器具による歯ブラシ洗浄方法は、容器部２内に洗浄剤７を充填し、歯ブラシ１のブラシ部１ａを、洗浄剤７内において、洗浄用突起部３に対して擦りつける。
【００２３】
そして、このような本実施形態の歯ブラシ洗浄器具及び歯ブラシ洗浄方法によれば、容器部内に液体を充填し、液体の中で歯ブラシと洗浄用突起部とを擦り合わせることによって、洗浄用突起部による摩擦と、洗浄剤の水流とにより、歯ブラシに付着した汚染物を確実に除去することができる。また、上記液体を洗浄剤とした場合には、洗浄剤を歯ブラシの繊維内に十分に浸透させることができ、殺菌力の向上を図ることができる。
【００２４】
なお、本発明は、上述した実施形態に限定されるものではなく、種々の変更を加えることができる。
【００２５】
（変更例１）
例えば、図２に示すように、容器部２を、上面に開口４ｃを有する内部中空の瓶体４の蓋体とすることができる。詳述すると、容器部２の中空内部に、瓶体４の開口４ｃの突起部４ａに嵌合する嵌合部２ｃを設ける。容器部２は、この嵌合部２ｃを介して、瓶体４の開口４ｃを覆うように、突起部４ａに着脱可能に取付けられる。なお、本変更例では、突起部４ａには、洗浄用突起部３が挿通される切欠部４ｂを設けるとともに、嵌合部２ｃ側にも、この切欠部４ｂに対応する箇所に切欠を設けている。
【００２６】
このような本変更例によれば、容器部２を、例えば洗浄剤７を入れておく瓶体４の蓋体として用いることが可能となり、容器部２と瓶体４を一体として携帯することができる。また、本実施形態では、切欠部４ｂを設けているため、蓋体を瓶体４に取付けた状態であっても、洗浄用突起部３の繊維が屈曲されることがなく、洗浄用突起部３を長持ちさせることができる。
【００２７】
（変更例２）
さらに、洗浄用突起部３は、図３乃至図５に示すように、容器部２に対して着脱可能に取付けるようにしてもよい。すなわち、図３乃至図５に示すように、別途用意された容器６の開口縁部６ａに引掛けられ、容器６内に吊下される吊下部５の表面に、洗浄用突起部３を設ける。
【００２８】
吊下部５は、図３乃至図５に示すように、容器６の開口縁部６ａに引っ掛けるフック部５ａが設けられており、このフック部５ａを、開口縁部６ａに引っ掛けることにより、容器６内に吊下することができる。
【００２９】
なお、本変更例において、洗浄用突起部３は、図３に示すように、金属やアクリル繊維で環状部３１，３２を形成し、その一部が吊下部５の表面に突出するように構成することができる。このとき、環状部は、水平方向に配置したものと（環状部３１）、垂直方向に配置したもの（環状部３２）を並設することが好ましく、これにより、歯ブラシの縦方向及び横方向の洗浄を可能とすることができる。
【００３０】
このような変更例に係る歯ブラシ洗浄器具によれば、洗浄用突起部３を容器部２に対して着脱可能とすることができるため、洗浄用突起部３を容器部２から取り外して洗浄用突起部３のみを携帯することができる。特に、上記変更例では、液体を充填できるコップ等の容器６の開口縁部６ａに吊下部５を引掛けるだけで、容器６内に洗浄用突起部３を突設することができ、市販の容器６を用いて、本発明の歯ブラシ洗浄器具を構成することができる。
【００３１】
（変更例３）
また、洗浄用突起部は、図４に示すように、金属や合成樹脂等を剣山状に突設させた構成（図４中の３３）してもよい。このような変更例に係る歯ブラシ洗浄器具によれば、この場合には、歯ブラシ１のブラシ部１ａを任意の方向に擦りつけることができ、より的確に歯ブラシの洗浄を行うことができる。
【００３２】
（変更例４）
さらに、洗浄用突起部は、合成繊維や天然繊維、金属繊維等を吊下部５の表面に巻き付けた構成（図５中の３４）としてもよい。このような変更例に係る歯ブラシ洗浄器具によれば、湾曲させた吊下部５に糸状の繊維を巻き付けるという簡単な構成で、洗浄用突起部を形成することができる。
【００３３】
（変更例５）
なお、上記実施形態において上記吊下部５は、フック部５ａにより容器内に釣り下げるようにしたが、本発明はこれに限定されるものではなく、両面テープ等の粘着性のある部材を吊下部５の背面に貼り付け、この部材を介して、容器の内壁面に貼り付けるようにしてもよい。
【図面の簡単な説明】
【００３４】
【図１】実施形態に係る歯ブラシ洗浄器具の概略構成を示す構成図である。
【図２】変更例１に係る歯ブラシ洗浄器具の概略構成を示す構成図である。
【図３】変更例２に係る歯ブラシ洗浄器具の概略構成を示す構成図である。
【図４】変更例３に係る歯ブラシ洗浄器具の概略構成を示す構成図である。
【図５】変更例４に係る歯ブラシ洗浄器具の概略構成を示す構成図である。
【符号の説明】
【００３５】
１…歯ブラシ
１ａ…ブラシ部
２…容器部
２ａ…内壁面
２ｂ…開口
２ｃ…嵌合部
３…洗浄用突起部
４…瓶体
４ａ…突起部
４ｂ…切欠部
４ｃ…開口
５…吊下部
５ａ…フック部
６…容器
６ａ…開口縁部
７…洗浄剤
３１，３２…環状部
【図１】
2005046558.tif 000003
【図２】
2005046558.tif 000004
【図３】
2005046558.tif 000005
【図４】
2005046558.tif 000006
【図５】
2005046558.tif 000007